(57)【特許請求の範囲】
【請求項１】
複数のコンテンツ送信装置が接続可能なコンテンツ送受信装置と、前記コンテンツ送受信装置が接続可能なコンテンツ受信装置とを備え、
前記コンテンツ送受信装置が、複数の前記コンテンツ送信装置の中から、コンテンツ送信元のコンテンツ送信装置を選択する選択手段と、
選択されたコンテンツ送信元の前記コンテンツ送信装置からコンテンツを受信する受信手段と、
前記コンテンツ受信装置にコンテンツを送信する送信手段と、
コンテンツ送信元の前記コンテンツ送信装置に対応付けて、前記コンテンツ受信装置の設定情報を登録する設定登録手段と、
前記選択手段によってコンテンツ送信元のコンテンツ送信装置が選択されたとき、選択されたコンテンツ送信元のコンテンツ送信装置に対応付けて前記設定登録手段によって登録されている前記コンテンツ受信装置の設定情報を、前記コンテンツ受信装置に送信する設定情報送信手段とを有し、
前記コンテンツ受信装置が、前記コンテンツ送受信装置からコンテンツを受信する第２受信手段と、
前記コンテンツ送受信装置から設定情報を受信し、受信した設定情報に応じて設定を実行する設定実行手段と、を有し、
前記コンテンツ受信装置の前記設定実行手段が、ユーザ操作に応じて設定を実行する場合、複数階層の設定メニュー画面を表示部に表示させ、各階層の設定メニュー画面における設定項目数を前記コンテンツ送受信装置に送信し、前記コンテンツ送受信装置から受信した各階層の設定メニュー画面における設定項目番号に応じて特定される設定を実行し、
前記コンテンツ送受信装置が、ユーザ操作に応じて設定を実行する場合、前記コンテンツ受信装置から受信した各階層の設定メニュー画面における設定項目数の中からユーザ操作に応じて選択された設定項目番号を前記コンテンツ受信装置に送信する手段をさらに有し、
各階層の設定メニュー画面における設定項目番号を前記コンテンツ受信装置に送信した場合に、前記設定登録手段が、前記選択手段によって選択されているコンテンツ送信元の前記コンテンツ送信装置に対応付けて、各階層の設定メニュー画面における設定項目番号を前記設定情報として登録する、コンテンツ送受信システム。
【請求項２】
請求項１に記載のコンテンツ送受信システムに適用される、前記コンテンツ送受信装置。
【請求項３】
請求項１に記載のコンテンツ送受信システムに適用される、前記コンテンツ受信装置。
【発明の詳細な説明】
【技術分野】
【０００１】
本発明は、コンテンツ送受信装置及びコンテンツ受信装置を備えるコンテンツ送受信システムに関する。
【背景技術】
【０００２】
ソース機器（例えば、ＤＶＤプレーヤ）と、リピータ機器（例えば、ＡＶアンプ）と、シンク機器（例えば、ディスプレイ装置）とを備えるコンテンツ送受信システムが利用されている。ＤＶＤプレーヤは、ＤＶＤディスクに記録されているコンテンツを再生し、ＡＶアンプに送信する。ＡＶアンプは、コンテンツに含まれる音声データに音声処理を実行し、スピーカーから音声を出力する。ＡＶアンプは、映像データをディスプレイ装置に送信する。ディスプレイ装置は、ＡＶアンプから供給された映像データに映像処理を実行し、表示する。
【０００３】
ＡＶアンプに複数のソース機器が接続される場合、ＡＶアンプは、ユーザ操作によってセレクタが選択され、コンテンツを送信するソース機器を１つ選択する。例えば、ＡＶアンプにＤＶＤプレーヤ、ＴＶチューナ及びゲーム機が接続されており、ＡＶアンプのセレクタ１〜３にそれぞれ割り当てられている場合、セレクタ１が選択されると、ＤＶＤプレーヤからコンテンツを受信し、ＡＶアンプがスピーカーに音声を出力し、ディスプレイ装置が映像を表示する。
【０００４】
ディスプレイ装置は、ユーザ操作に基づいて、明るさ、色合いおよび解像度等の映像設定を実行する。その他に、ディスプレイ装置は、ユーザ操作に応じて、音声設定、機能設定、初期設定等を実行する。ＡＶアンプのセレクタが変更され、コンテンツを送信するソース機器が変更される毎に、ユーザ操作によって、ディスプレイ装置の設定を選択されたソース機器に適した設定に変更する必要があるので、その操作が非常に煩雑である。
【先行技術文献】
【特許文献】
【０００５】
【特許文献１】特開平７−１２３３３９号公報
【発明の概要】
【発明が解決しようとする課題】
【０００６】
本発明は上記従来の課題を解決するためになされたものであり、その目的は、コンテンツ送信元のコンテンツ送信装置を変更する際に、コンテンツ受信装置の設定を、ユーザ操作を要することなく自動的に変更することができるコンテンツ送受信システムを提供することである。
【課題を解決するための手段】
【０００７】
本発明の好ましい実施形態によるコンテンツ送受信システムは、複数のコンテンツ送信装置が接続可能なコンテンツ送受信装置と、前記コンテンツ送受信装置が接続可能なコンテンツ受信装置とを備え、前記コンテンツ送受信装置が、複数の前記コンテンツ送信装置の中から、コンテンツ送信元のコンテンツ送信装置を選択する選択手段と、選択されたコンテンツ送信元の前記コンテンツ送信装置からコンテンツを受信する受信手段と、前記コンテンツ受信装置にコンテンツを送信する送信手段と、コンテンツ送信元の前記コンテンツ送信装置に対応付けて、前記コンテンツ受信装置の設定情報を登録する設定登録手段と、前記選択手段によってコンテンツ送信元のコンテンツ送信装置が選択されたとき、選択されたコンテンツ送信元のコンテンツ送信装置に対応付けて前記設定登録手段によって登録されている前記コンテンツ受信装置の設定情報を、前記コンテンツ受信装置に送信する設定情報送信手段とを有し、前記コンテンツ受信装置が、前記コンテンツ送受信装置からコンテンツを受信する第２受信手段と、前記コンテンツ送受信装置から設定情報を受信し、受信した設定情報に応じて設定を実行する設定実行手段とを有する。
【０００８】
コンテンツ送信元のコンテンツ送信装置が変更された場合、選択されたコンテンツ送信装置に対応付けて登録されているコンテンツ受信装置の設定情報がコンテンツ送受信装置からコンテンツ受信装置に送信される。コンテンツ受信装置は、受信した設定情報に基づいて設定を実行することにより、ユーザ操作を要することなく、送信元のコンテンツ送信装置が変更された際に、変更後のコンテンツ送信装置に適した設定に自動的に変更することができる。
【０００９】
好ましくは、前記コンテンツ受信装置の前記設定実行手段が、ユーザ操作に応じて設定を実行する場合、複数階層の設定メニュー画面を表示部に表示させ、各階層の設定メニュー画面における設定項目数を前記コンテンツ送受信装置に送信し、前記コンテンツ送受信装置から受信した各階層の設定メニュー画面における設定項目番号に応じて特定される設定を実行し、前記コンテンツ送受信装置が、ユーザ操作に応じて設定を実行する場合、前記コンテンツ受信装置から受信した各階層の設定メニュー画面における設定項目数の中からユーザ操作に応じて選択された設定項目番号を前記コンテンツ受信装置に送信する手段をさらに有し、各階層の設定メニュー画面における設定項目番号を前記コンテンツ受信装置に送信した場合に、前記設定登録手段が、前記選択手段によって選択されているコンテンツ送信元の前記コンテンツ送信装置に対応付けて、各階層の設定メニュー画面における設定項目番号を前記設定情報として登録する。
【００１０】
この場合、ユーザ操作によってコンテンツ受信装置の設定が実行される際に、入力された設定情報を送信元として現在選択されているコンテンツ送信装置に対応付けて登録することができる。従って、別途ユーザ操作によって設定情報を入力する必要がない。
【００１１】
本発明の別の好ましい実施形態によるコンテンツ送受信システムは、コンテンツ送信装置が接続可能なコンテンツ送受信装置と、前記コンテンツ送受信装置が接続可能なコンテンツ受信装置とを備え、前記コンテンツ送受信装置が、前記コンテンツ送信装置からコンテンツを受信する受信手段と、前記コンテンツ受信装置にコンテンツを送信する送信手段と、前記コンテンツ受信装置から受信した各階層の設定メニュー画面における設定項目数の中からユーザ操作に応じて選択された設定項目番号を前記コンテンツ受信装置に送信する手段とを有し、前記コンテンツ受信装置が、前記コンテンツ送受信装置からコンテンツを受信する第２受信手段と、複数階層の設定メニュー画面を表示部に表示させ、各階層の設定メニュー画面における設定項目数を前記コンテンツ送受信装置に送信し、前記コンテンツ送受信装置から受信した各階層の設定メニュー画面における設定項目番号に応じて特定される設定を実行する設定実行手段とを有する。
【発明の効果】
【００１２】
コンテンツ送信元のコンテンツ送信装置を変更する際に、コンテンツ受信装置の設定を、ユーザ操作を要することなく自動的に変更することができる。
【図面の簡単な説明】
【００１３】
【図１】本発明の好ましい実施形態によるＡＶアンプ２０及びディスプレイ装置４０を示すブロック図である。
【図２】設定テーブルを示す図である。
【図３】設定メニュー画面と、ＡＶアンプ２０に送信される設定項目数との遷移を示す図である。
【図４】ＡＶアンプ２０の動作を説明するフローチャートである。
【図５】ディスプレイ装置４０の動作を説明するフローチャートである。
【図６】ＡＶアンプ２０の動作を説明するフローチャートである。
【図７】ディスプレイ装置４０の動作を説明するフローチャートである。
【発明を実施するための形態】
【００１４】
以下、本発明の好ましい実施形態について、図面を参照して具体的に説明するが、本発明はこれらの実施形態には限定されない。本実施形態において、コンテンツは、映像（画像も含む、以下同様。）データおよび／または音声データ等である。
【００１５】
図１に示すように、ＡＶアンプ（コンテンツ送受信装置、リピータ機器）２０の入力側には複数のコンテンツ送信装置（ソース機器であり、ＤＶＤプレーヤ１０Ａ、ＴＶチューナ１０Ｂおよびゲーム機１０Ｃ）が接続されている。ＡＶアンプ２０の出力側には、コンテンツ受信装置（シンク機器であり、ディスプレイ装置４０）が接続されている。ＡＶアンプ２０及びディスプレイ装置４０は、例えばＨＤＭＩ規格に準拠しており、ＨＤＭＩケーブルを介して相互に接続されている。複数のコンテンツ送信装置は、ＨＤＭＩケーブルを介してＡＶアンプ２０に接続されてもよく、デジタル又はアナログの音声ケーブルや、アナログ映像ケーブルを介してＡＶアンプ２０に接続されてもよい。
【００１６】
［ＡＶアンプの構成］
ＡＶアンプ２０は、セレクタ部２１と、ＨＤＭＩ送信部２２と、音声処理部２３と、制御部２４と、操作部２５と、表示部２６と、メモリ２７と、入力端子（音声及び／又は映像入力端子）２８Ａ〜２８Ｃと、ＨＤＭＩ出力端子２９Ａと、アナログ映像出力端子２９Ｂとを有している。なお、一般的なＡＶアンプは、ＨＤＭＩ入力端子及びＨＤＭＩ受信部等をさらに備えているが、図１では簡単のため記載を省略している。
【００１７】
セレクタ部２１は、入力端子２８Ａ〜２８Ｃの中から、コンテンツを受信する入力端子を選択する。つまり、セレクタ部２１は、複数のコンテンツ送信装置の中から、コンテンツ送信元のコンテンツ送信装置を１つ選択する。入力端子２８Ａはセレクタ１に、入力端子２８Ｂはセレクタ２に、入力端子２８Ｃはセレクタ３にそれぞれ割り当てられている。ユーザ操作によってセレクタ１が選択されると、セレクタ部２１は、入力端子２８Ａを選択し、ＤＶＤプレーヤ１０Ａからのコンテンツを受信する。ユーザ操作によってセレクタ２が選択されると、セレクタ部２１は、入力端子２８Ｂを選択し、ＴＶチューナ１０Ｂからのコンテンツを受信する。ユーザ操作によってセレクタ３が選択されると、セレクタ部２１は、入力端子２８Ｃを選択し、ゲーム機１０Ｃからのコンテンツを受信する。セレクタ部２１は、入力されたコンテンツのうち、音声データを音声処理部２３に供給する。セレクタ部２１は、入力されたコンテンツのうち、映像データをＨＤＭＩ送信部２２に供給、又は、アナログ映像出力端子２９Ｂを介してディスプレイ装置４０に供給する。
【００１８】
ＨＤＭＩ送信部２２は、セレクタ部２１から供給された映像データをＨＤＭＩデータに変換する。ＨＤＭＩ送信部２２は、ＨＤＭＩ出力端子２９Ａを介してディスプレイ装置４０にＨＤＭＩデータを送信する。
【００１９】
音声処理部２３は、セレクタ部２１から供給された音声データに対して、例えば、信号処理、遅延処理、イコライザ処理、音量調整処理、増幅処理、ＤＡ変換等の音声処理を実行し、外部に接続されたスピーカー６０に音声信号を供給する。
【００２０】
制御部２４は、メモリ２７に記憶されているＡＶアンプの動作プログラムに基づいて、ＡＶアンプ２０の各部を制御するものであり、例えば、マイコンやＣＰＵ等である。制御部２４は、ＨＤＭＩのＣＥＣラインを介してディスプレイ装置４０の制御部４４に接続され、制御部４４とコマンドを送受信する。
【００２１】
メモリ２７（例えば、ＲＯＭ、ＲＡＭ等）には、図２に示す設定テーブルが格納されている。設定テーブルは、各セレクタ（セレクタ１〜セレクタ３）、すなわち、コンテンツ送信装置に対応付けて、ディスプレイ装置４０の設定情報を登録するためのテーブルである。なお、設定テーブルには最初は何も登録されておらず、後述する処理によって設定情報が登録される。ユーザ操作によってセレクタが変更された時に、制御部２４は、設定テーブルを参照し、変更後のセレクタに対応付けられている設定情報を設定テーブルから読み出し、ＣＥＣラインを介してディスプレイ装置４０の制御部４４に送信することにより、ディスプレイ装置４０に設定を自動的に変更させる。
【００２２】
また、制御部２４は、ディスプレイ装置４０の制御部４４とＣＥラインを介してコマンドを送受信することにより、ユーザ操作に応じて、ディスプレイ装置４０の各設定（例えば、映像設定、音声設定、機能設定および初期設定等）を実行する。つまり、ユーザがＡＶアンプ２０の操作部２５を操作することによって、ディスプレイ装置４０の各設定を実行することができる。
【００２３】
図３は、ユーザ操作によって、ディスプレイ装置４０の各設定を実行するための設定メニュー画面（図３上側）と、ディスプレイ装置４０の制御部４４からＣＥＣラインを介してＡＶアンプ２０の制御部２４に送信される設定項目数（図３下側）との遷移を示す図である。本例では、ディスプレイ装置４０の制御部４４は、設定メニュー画面における設定項目のテキスト情報自体を制御部２４に送信するのではなく、現在表示されている設定メニュー画面に存在する設定項目数のみを制御部２４に送信する。従って、制御部４４から制御部２４に送信されるコマンドのデータ量を削減することができる。
【００２４】
図３に示すように、最上位階層（図３の一番左側）の設定メニュー画面においては、お知らせ〜初期設定までの５つの設定項目が存在するので、設定項目数５がディスプレイ装置４０の制御部４４から制御部２４に送信される。ユーザ操作によって、設定項目番号（設定項目番号は５つの設定項目の上からの通し番号であり、ここでは１〜５の整数である。）が決定されると、制御部２４は、ＣＥＣラインを介して、決定された設定項目番号をディスプレイ装置４０の制御部４４に送信する。例えば、設定項目番号が２に決定され、ディスプレイ装置４０の制御部４４に送信された場合、制御部４４は、設定項目番号２で特定される設定項目である映像設定がユーザ操作によって選択されたときの動作を実行し、映像設定の１つ下の階層の設定メニュー画面を表示する（左から２番目）。
【００２５】
映像設定の設定メニュー画面では、映像メニュー〜明るさセンサーまでの７つの設定項目が存在するので、設定項目数７がディスプレイ装置４０の制御部４４から制御部２４に送信される。ユーザ操作によって、設定項目番号が決定されると、制御部２４は、ＣＥＣラインを介して、決定された設定項目番号をディスプレイ装置４０の制御部４４に送信する。例えば、設定項目番号が５に決定され、ディスプレイ装置４０の制御部４４に送信された場合、制御部４４は、設定項目番号５で特定される設定項目である色空間がユーザ操作によって選択されたときの動作を実行し、色空間の１つ下の階層の設定メニュー画面を表示する（左から３番目）。
【００２６】
色空間の設定メニュー画面では、オート〜スタンダードまでの３つの設定項目が存在するので、設定項目数３がディスプレイ装置４０の制御部４４から制御部２４に送信される。色空間の１つ下の階層の設定メニュー画面が最終階層であるので、最終階層である旨の情報も制御部４４から制御部２４に送信される。例えば、設定項目番号２に決定されると、ディスプレイ装置４０の制御部４４に設定項目番号「２」が送信され、制御部４４は、設定項目番号２で特定される設定項目であるワイドがユーザ操作によって選択されたときの動作を実行し、色空間がワイドに設定される（一番右）。
【００２７】
制御部２４は、最終階層の設定メニュー画面において、設定項目番号をディスプレイ装置４０の制御部４４に送信した際には、ディスプレイ装置４０の設定内容が確定するので、図２の設定テーブルにおいて、現在選択されているセレクタに対応付けて、各階層の設定メニュー画面において決定した設定項目番号を登録する。例えば、図２のように、セレクタ１に対応付けて、最上位階層から順番に、設定項目番号２、５、２が登録される。なお、図２では、便宜上１つのセレクタに１つの設定情報しか登録されていないが、複数の設定情報が登録されてもよい。例えば、映像設定についての設定情報と、音声設定についての設定情報とが同じセレクタに対応付けて登録されてもよい。この場合、当該セレクタが選択されたとき、登録されている映像設定および音声設定にディスプレイ装置４０が自動的に設定される。
【００２８】
なお、上記のようにユーザがＡＶアンプ２０の操作部２５を介してディスプレイ装置４０の設定を実行するのではなく、ユーザがディスプレイ装置４０の操作部４５を介してディスプレイ装置４０の設定を実行し、ディスプレイ装置４０の制御部４４が設定情報を制御部２４に送信し、制御部２４が現在選択されているセレクタに対応付けて、受信した設定情報を登録してもよい。
【００２９】
操作部２５は、ユーザ操作を受け付けるものであり、ＡＶアンプ２０の筐体に設けられた操作ボタン、及び／又は、リモコン送受信機等である。操作部２５は、例えば、図３に示す設定メニュー画面を操作するために、カーソルアップ／ダウンキー、決定キー等を含む。
【００３０】
［ディスプレイ装置４０の構成］
ディスプレイ装置４０は、ＨＤＭＩ受信部４１と、映像処理部４２と、表示部４３と、制御部４４と、操作部４５と、メモリ４６と、ＨＤＭＩ入力端子４７Ａと、アナログ映像入力端子４７Ｂとを備える。なお、音声入力端子、音声処理部及びスピーカー等は簡単のため記載を省略している。
【００３１】
ＨＤＭＩ受信部４１は、ＡＶアンプ２０のＨＤＭＩ送信部２２から送信されたＨＤＭＩデータを受信して、ＨＤＭＩデータから元の映像データを生成し、映像処理部４２に供給する。
【００３２】
映像処理部４２は、ＨＤＭＩ受信部４１から供給された映像データに映像処理を実行し、表示部４３に映像を表示させる。例えば、映像処理部４２は、映像データの明るさ及び色合い等を調整し、解像度変換等を実行する。映像処理部４２は、図３に示す設定メニュー画面において選択された設定情報やＡＶアンプ２０からセレクタ変更に伴い送信された設定情報に基づいて、制御部４４によって実行された設定に従って、映像処理を実行する。
【００３３】
表示部４３は、映像処理部４２から映像データが供給され、当該映像データに基づいて映像を表示するものであり、例えば、ＬＣＤまたはＰＤＰ等である。
【００３４】
制御部４４は、メモリ（例えば、ＲＯＭ、ＲＡＭ等）４６に格納されたディスプレイ装置の動作プログラムに基づいて、ディスプレイ装置の各部を制御するものであり、例えば、マイコンやＣＰＵ等である。
【００３５】
制御部４４は、ＣＥＣラインを介して、ＡＶアンプ２０の制御部２４に接続されており、ＡＶアンプ２０の制御部２４とコマンドを送受信する。詳細には、上記の通り、制御部４４は、図３の設定メニュー画面を表示部４３に表示させるとき、設定メニュー画面に存在する設定項目数を、ＣＥＣラインを介してＡＶアンプ２０の制御部２４に送信する。また、制御部４４は、ＡＶアンプ２０の制御部２４から、設定項目番号を受信したとき、設定メニュー画面においてカーソルを移動させる。また、制御部４４は、ＡＶアンプ２０の制御部２４から、決定指示を受信したとき、設定メニュー画面においてカーソルが位置している設定項目の内容を決定し、設定メニュー画面の階層を下の階層に移動させたり、設定を実行したりする。
【００３６】
以下、本実施形態の動作を説明する。図４に示すように、ＡＶアンプ２０の制御部２４は、ユーザ操作によってセレクタが変更されたか否かを判断している（Ｓ１）。セレクタが変更された場合（Ｓ１でＹＥＳ）、制御部２４は、図２の設定テーブルを参照し、変更後のセレクタに対応付けてディスプレイ装置４０の設定情報が登録されているか否かを判断する（Ｓ２）。登録されていなければ（Ｓ２でＮＯ）、Ｓ１に戻る。登録されていれば（Ｓ２でＹＥＳ）、制御部２４は、変更後のセレクタに対応付けて登録されている設定情報を設定テーブルから読み出して、ＣＥＣラインを介して、読み出した設定情報を含む設定変更指示をディスプレイ装置４０の制御部４４に送信する（Ｓ３）。例えば、図２の設定テーブルの場合に、セレクタ１に変更された場合、設定情報として、２．５．２が読み出されて、ディスプレイ装置４０の制御部４４に送信される。
【００３７】
図５に示すように、ディスプレイ装置４０の制御部４４は、ＡＶアンプ２０の制御部２４からＣＥＣラインを介して、設定変更指示を受信したか否かを判断している（Ｓ５１）。受信した場合（Ｓ５１でＹＥＳ）制御部４４は、受信した設定情報に基づいて自動的に設定を実行する（Ｓ５２）。例えば、設定情報が、２．５．２である場合、制御部４４は、図３において、最上位階層の設定メニュー画面において設定項目番号２に対応する設定項目である映像設定を選択し、映像設定のメニュー画面において設定項目番号５に対応する設定項目である色空間を選択し、色空間の設定メニュー画面において設定項目番号２に対応する設定項目であるワイドを選択し、色空間＝ワイドに設定を実行する。
【００３８】
以上のようにＡＶアンプ２０においてセレクタが変更される際に、自動的にディスプレイ装置４０の設定を変更することができる。
【００３９】
次に、ユーザ操作によってディスプレイ装置４０の設定が実行される際に、設定情報を設定テーブルに登録する処理を説明する。図６に示すように、ＡＶアンプ２０の制御部２４は、ユーザ操作によって設定メニュー画面を表示する指示が入力されたか否かを判断している（Ｓ１１）。入力された場合（Ｓ１１でＹＥＳ）、制御部２４は、設定メニュー画面の表示指示をディスプレイ装置４０の制御部４４に送信する（Ｓ１２）。図７に示すように、ディスプレイ装置４０の制御部４４は、設定メニュー画面の表示指示を受信したか否かを判断している（Ｓ６１）。受信した場合（Ｓ６１でＹＥＳ）、制御部４４は、最上位階層の設定メニュー画面（図３の一番左）をメモリ４６から読み出して表示部４３に表示する。そして、制御部４４は、現在表示されている設定メニュー画面の設定項目数を取得し、ＡＶアンプ２０の制御部２３に送信する（Ｓ６２）。ここでは、お知らせ〜初期設定までの５つの設定項目が存在するので、設定項目数５が制御部４４から制御部２４に送信される。
【００４０】
図６に示すように、ＡＶアンプ２０の制御部２４は、ディスプレイ装置４０の制御部４４から設定項目数を受信したか否かを判断している（Ｓ１３）。受信しなければ（Ｓ１３でＮＯ）、Ｓ１６に進む。受信した場合（Ｓ１３でＹＥＳ）、受信した設定項目数をメモリ２７に保存し（Ｓ１４）、メモリ２７内で設定項目番号を初期値に設定し保持する（Ｓ１５）。ここでは、設定項目数５をメモリ２７に保持し、初期値１に設定する。
【００４１】
続いて、制御部２４は、ユーザ操作によってカーソルを移動する（つまり、設定項目番号を増減する）指示が入力されたか否かを判断している（Ｓ１６）。入力されない場合（Ｓ１６でＮＯ）、Ｓ１９に進む。入力された場合（Ｓ１６でＹＥＳ）、制御部２４は、メモリ２７内で保持している設定項目番号をユーザ操作に応じて増減させ（Ｓ１７）、カーソルを移動させる指示（つまり設定項目番号）をディスプレイ装置４０の制御部４４に送信する（Ｓ１８）。ここでは、ユーザ操作によってカーソルダウン指示が入力されるので、制御部４４は、メモリ２７で保持している設定項目番号を初期値の１から１増加させ、２に設定し、設定項目番号２をディスプレイ装置４０の制御部４４に送信する。
【００４２】
図７に示すように、ディスプレイ装置４０の制御部４４は、ＡＶアンプ２０の制御部２４からカーソルを移動する指示（つまり設定項目番号）を受信したか否かを判断している（Ｓ６３）。受信しなければ（Ｓ６３でＮＯ）、Ｓ６５に進む。受信した場合（Ｓ６３でＹＥＳ）、制御部４４は、受信した設定項目番号に従って、現在の設定メニュー画面においてカーソルを移動させる（又は明るさ等の数値の場合はその数値を増減させる）（Ｓ６４）。ここでは、設定項目番号が２であるので、図３の最上位階層の設定メニュー画面において設定項目番号２の設定項目である映像設定にカーソルを移動させる。
【００４３】
なお、ユーザが設定メニュー画面を見ながらカーソルを連続的に移動させる場合には、図６において、Ｓ１６〜Ｓ１８の処理を繰り返すことによって、カーソルが連続的に移動される。
【００４４】
続いて、図６に示すように、ＡＶアンプ２０の制御部２４は、ユーザ操作によって決定指示が入力されたか否かを判断している（Ｓ１９）。入力されない場合（Ｓ１９でＮＯ）、Ｓ１３に戻る。入力された場合（Ｓ１９でＹＥＳ）、制御部２４は、決定指示をディスプレイ装置４０の制御部４４に送信する（Ｓ２０）。このとき、メモリ２７内に保持している現在の設定メニュー画面の階層に対する設定項目番号をメモリ２７に保持しておく。また、制御部２４は、現在表示されている設定メニュー画面が最終階層であるか否かを判断する（Ｓ２１）。ここでは、最終階層でないので（Ｓ２１でＮＯ）、Ｓ１３に戻る。
【００４５】
図７に示すように、ディスプレイ装置４０の制御部４４は、ＡＶアンプ２０の制御部２４から決定指示を受信したか否かを判断している（Ｓ６５）。受信しない場合（Ｓ６５でＮＯ）、Ｓ６３に戻る。受信した場合（Ｓ６５でＹＥＳ）、制御部４４は、現在表示されている設定メニュー画面が最終階層の設定メニュー画面であるか否かを判断する（Ｓ６６）。最終階層の設定メニュー画面でない場合（Ｓ６６でＮＯ）、制御部４４は、カーソルが位置している設定項目において１つ下の階層の設定メニュー画面を表示部に表示し（Ｓ６７）、Ｓ６２に戻る。ここでは、最上位階層の設定画面メニューで映像設定にカーソルが位置する状態であるので、映像設定についての設定画面メニュー（左から２番目）が表示される。
【００４６】
制御部４４は、現在表示されている映像設定の設定メニュー画面の設定項目数を取得し、ＡＶアンプ２０の制御部２３に送信する（Ｓ６２）。ここでは、映像メニュー〜明るさセンサーまでの７つの設定項目が存在するので、設定項目数７が制御部４４から制御部２４に送信される。
【００４７】
図６に示すように、ＡＶアンプ２０の制御部２４は、ディスプレイ装置４０の制御部４４から設定項目数７を受信し（Ｓ１３でＹＥＳ）、受信した設定項目数７をメモリ２７に保存し（Ｓ１４）、メモリ２７内で設定項目番号を初期値１に設定する（Ｓ１５）。
【００４８】
続いて、制御部２４は、ユーザ操作によってカーソルを移動する（つまり設定項目番号を増減する）指示が入力された場合（Ｓ１６でＹＥＳ）、制御部２４は、メモリ２７内で保持している設定項目番号をユーザ操作に応じて増減させ（Ｓ１７）、カーソルを移動させる指示（つまり設定項目番号）をディスプレイ装置４０の制御部４４に送信する（Ｓ１８）。ここでは、最終的に、制御部４４は、メモリ２７で保存している設定項目番号を５に設定し、設定項目番号５をディスプレイ装置４０の制御部４４に送信する。
【００４９】
図７に示すように、ディスプレイ装置４０の制御部４４は、ＡＶアンプ２０の制御部２４からカーソルを移動する指示（つまり設定項目番号）を受信し（Ｓ６３でＹＥＳ）、制御部４４は、受信した設定項目番号５に従って、現在の設定メニュー画面においてカーソルを色空間に移動させる（Ｓ６４）。
【００５０】
図６に示すように、ＡＶアンプ２０の制御部２４は、ユーザ操作によって決定指示が入力された場合（Ｓ１９でＹＥＳ）、決定指示をディスプレイ装置４０の制御部４４に送信する（Ｓ２０）。このとき、メモリ２７内に保持している現在の設定メニュー画面の階層に対する設定項目番号５をメモリ２７に保持する。また、最終階層でないので（Ｓ２１でＮＯ）、Ｓ１３に戻る。
【００５１】
図７に示すように、ディスプレイ装置４０の制御部４４は、ＡＶアンプ２０の制御部２４から決定指示を受信し（Ｓ６５でＹＥＳ）、現在表示されている設定メニュー画面が最終階層の設定メニュー画面でないので（Ｓ６６でＮＯ）、カーソルが位置している色空間の設定項目において１つ下の階層の設定メニュー画面（左から３番目）を表示部に表示し、Ｓ６２に戻る。
【００５２】
制御部４４は、現在表示されている色空間の設定メニュー画面の設定項目数を取得し、ＡＶアンプ２０の制御部２３に送信する（Ｓ６２）。ここでは、オートー〜スタンダードまでの３つの設定項目が存在するので、設定項目数３が制御部４４から制御部２４に送信される。また、最終階層の設定メニュー画面である旨の情報も制御部４４から制御部２４に送信される。
【００５３】
図６に示すように、ＡＶアンプ２０の制御部２４は、ディスプレイ装置４０の制御部４４から設定項目数３を受信し（Ｓ１３でＹＥＳ）、受信した設定項目数３をメモリ２７に保存し（Ｓ１４）、メモリ２７内で設定項目番号を初期値１に設定する（Ｓ１５）。
【００５４】
続いて、制御部２４は、ユーザ操作によってカーソルを移動する（つまり設定項目番号を増減する）指示が入力された場合（Ｓ１６でＹＥＳ）メモリ２７内で保持している設定項目番号をユーザ操作に応じて増減させ（Ｓ１７）、カーソルを移動させる指示（つまり設定項目番号）をディスプレイ装置４０の制御部４４に送信する（Ｓ１８）。ここでは、最終的に、制御部４４は、メモリ２７で保存している設定項目番号を２に設定し、設定項目番号２をディスプレイ装置４０の制御部４４に送信する。
【００５５】
図７に示すように、ディスプレイ装置４０の制御部４４は、ＡＶアンプ２０の制御部２４からカーソルを移動する指示（つまり設定項目番号）を受信し（Ｓ６３でＹＥＳ）、制御部４４は、受信した設定項目番号２に従って、現在の設定メニュー画面においてカーソルをワイドに移動させる（Ｓ６３）。
【００５６】
図６に示すように、ＡＶアンプ２０の制御部２４は、ユーザ操作によって決定指示が入力された場合（Ｓ１９でＹＥＳ）、決定指示をディスプレイ装置４０の制御部４４に送信する（Ｓ２０）。このとき、メモリ２７内に保持している現在の設定メニュー画面の階層に対する設定項目番号２をメモリ２７に保持する。ここで、現在表示されている設定メニュー画面は最終階層であるので（Ｓ２１でＹＥＳ）、各階層の設定メニュー画面に対してメモリ２７に保存している設定項目番号（ここでは、２．５．２）を現在選択されているセレクタに対応付けて、設定テーブルに保存する（Ｓ２２）。これにより、別途ユーザ操作によって設定テーブルの設定情報を入力する必要なく、設定テーブルに設定情報を登録することができる。
【００５７】
図７に示すように、ディスプレイ装置４０の制御部４４は、ＡＶアンプ２０の制御部２４から決定指示を受信し（Ｓ６５でＹＥＳ）、現在表示されている設定メニュー画面が最終階層の設定メニュー画面であるので（Ｓ６６でＹＥＳ）、カーソルが位置している色空間の設定項目において設定を実行し（つまり色空間をワイドに設定し）、Ｓ６１に戻る。
【００５８】
以上のように、本実施形態によると、ＡＶアンプ２０のセレクタが変更された際にディスプレイ装置４０の設定をセレクタに割り当てられたソース機器に適した設定に自動的に変更することができる。また、ユーザ操作によってディスプレイ装置４０の設定が変更されたときに、現在選択されているセレクタに対応付けて変更された設定情報を自動的に設定テーブルに登録することができる。例えば、ソース機器がＡＶアンプ２０にアナログの映像ケーブルで接続されている場合に、ユーザがディスプレイ装置４０のノイズリダクションをオンに設定した際には、その設定が登録され、次回当該ソース機器が選択された際に、自動的にディスプレイ装置４０のノイズリダクションがオンに設定される。
【００５９】
以上、本発明の好ましい実施形態を説明したが、本発明はこれらの実施形態には限定されない。例えば、ＣＥＣラインの代わりにＬＡＮ、ＵＳＢ、ＩＥＥＥ１３９４等の他の通信ラインが使用されてもよい。また、ＤＶＤプレーヤ１０ＡがＡＶアンプ２０に内蔵された機器、又は、ＡＶアンプ２０とディスプレイ装置４０とが一体となった機器が採用されてもよい。また、ＡＶアンプ、ディスプレイ装置の上記動作をコンピュータに実行させるためのプログラムおよびこれを記録した記録媒体という形態で提供されてもよい。また、ＡＶアンプ又はディスプレイ装置の上記動作の一部のみのプログラムを、ＡＶアンプやディスプレイ装置にファームウェアアップデートという形態で提供されてもよい。さらには、ＡＶアンプ又はディスプレイ装置の上記動作の一部のみのプログラムが格納されたＨＤＭＩ送信部、ＨＤＭＩ受信部、システム制御部などの電子部品という形態で提供されてもよい。
【産業上の利用可能性】
【００６０】
本発明は、ＡＶアンプおよびディスプレイ装置等に好適に採用され得る。
【符号の説明】
【００６１】
２０            ＡＶアンプ
２１            セレクタ部
２２            ＨＤＭＩ送信部
２３            音声処理部
２４            制御部
２５            操作部
２６            表示部
２７            メモリ
２８Ａ〜２８Ｃ  入力端子
４０            ディスプレイ装置
４１            ＨＤＭＩ受信部
４２            映像処理部
４３            表示部
４４            制御部
４５            操作部
４６            メモリ
４７Ａ          ＨＤＭＩ入力端子
４７Ｂ          アナログ映像入力端子
【図１】
0005381506.tif 000002
【図２】
0005381506.tif 000003
【図３】
0005381506.tif 000004
【図４】
0005381506.tif 000005
【図５】
0005381506.tif 000006
【図６】
0005381506.tif 000007
【図７】
0005381506.tif 000008